(57)【要約】【課題】構造を簡素にでき、コストダウンでき、安定した押し付け力を確保できる急傾斜・垂直コンベアを提供する。【解決手段】搬送用コンベアベルト７と押さえ用コンベアベルト１２とで搬送物２４を挟んで搬送する急傾斜・垂直コンベアにおいて、固定枠２に回動自在な支持アーム１５を介して押さえ用コンベアベルト１２を搬送物側に押し付ける押さえローラ１３を設け、支持アーム１５に押し付け荷重を付与する重錘１６を連結したものである。【選択図】図４
2015221697.tif 000002
【特許請求の範囲】
【請求項１】
搬送用コンベアベルトと押さえ用コンベアベルトとで搬送物を挟んで搬送する急傾斜・垂直コンベアにおいて、
固定枠に回動自在な支持アームを介して前記押さえ用コンベアベルトを搬送物側に押し付ける押さえローラを設け、前記支持アームに押し付け荷重を付与する重錘を連結したことを特徴とする急傾斜・垂直コンベア。
【請求項２】
前記重錘は、前記支持アームに連結アームを介して連結され、該連結アームは、前記支持アームからその回動軸方向に延びる軸部と、該軸部の先端側から径方向に延びると共に前記重錘が先端側に取り付けられるレバー部とを備えた請求項１に記載の急傾斜・垂直コンベア。
【請求項３】
前記レバー部の先端側には、複数の前記重錘が着脱自在に取り付けられる重錘取付部が形成された請求項２に記載の急傾斜・垂直コンベア。
【請求項４】
前記重錘取付部が、前記押さえ用コンベアベルトよりその幅方向外側に配置された請求項３に記載の急傾斜・垂直コンベア。
【発明の詳細な説明】
【技術分野】
【０００１】
本発明は、バラ物等の搬送物を搬送する急傾斜・垂直コンベアに関するものである。
【背景技術】
【０００２】
搬送用コンベアベルトと押さえ用コンベアベルトとでバラ物等の搬送物を挟んで搬送する急傾斜・垂直コンベアには、押さえ用コンベアベルトを押さえるための押さえローラが備えられている。
【０００３】
押さえローラは、アーム及びトーションバーもしくはバネを介して支持されており、トーションバーもしくはバネのバネ力で押さえ用コンベアベルトに押し付けられるようになっている。
【先行技術文献】
【特許文献】
【０００４】
【特許文献１】特開平７−２９１４１７号公報
【発明の概要】
【発明が解決しようとする課題】
【０００５】
ところで、上述の急傾斜・垂直コンベアは、トーションバー等のバネが必要であるため、部品点数が増大し、コストアップを招いているという課題があった。
【０００６】
また、粉じん等が多い環境では、バネ等の腐食もしくは損傷により適正な押し付け力が出来なくなる可能性があった。
【０００７】
そこで、本発明の目的は、構造を簡素にでき、コストダウンでき、安定した押し付け力を確保できる急傾斜・垂直コンベアを提供することにある。
【課題を解決するための手段】
【０００８】
上述の目的を達成するため、本発明は、搬送用コンベアベルトと押さえ用コンベアベルトとで搬送物を挟んで搬送する急傾斜・垂直コンベアにおいて、固定枠に回動自在な支持アームを介して前記押さえ用コンベアベルトを搬送物側に押し付ける押さえローラを設け、前記支持アームに押し付け荷重を付与する重錘を連結したものである。
【発明の効果】
【０００９】
本発明によれば、構造を簡素にでき、コストダウンでき、安定した押し付け力を確保できる。
【図面の簡単な説明】
【００１０】
【図１】本発明の一実施の形態に係る急傾斜コンベアの側面説明図である。
【図２】図１のＡ−Ａ線矢視図である。
【図３】図２のＢ−Ｂ線矢視図である。
【図４】図２のＣ−Ｃ線矢視断面図である。
【図５】図２のＤ−Ｄ線矢視図である。
【図６】図２のＥ−Ｅ線矢視図である。
【発明を実施するための形態】
【００１１】
以下、本発明の好適な実施の形態を添付図面にしたがって説明する。
【００１２】
図１及び図２に示すように、急傾斜コンベア１は、骨格を形成する固定枠２と、固定枠２に設けられ搬送物を搬送するための搬送用コンベア部３と、搬送用コンベア部３と対向するように固定枠２に設けられ搬送物を搬送用コンベア部３との間に挟むための押さえ用コンベア部４とを備える。
【００１３】
図２及び図４に示すように、搬送用コンベア部３は、固定枠２に設けられ始端及び終端に配置されるプーリ５、６と、これらプーリ５、６に掛け回された無端状の搬送用コンベアベルト７と、搬送側の搬送用コンベアベルト７を裏面側（下側）から支持するための主固定ローラ８及び副固定ローラ９とを備える。主固定ローラ８は、搬送用コンベアベルト７の幅方向（走行方向と直交する方向）の中央に配置される。副固定ローラ９は、幅方向の両側に配置されると共に、搬送用コンベアベルト７の両側を持ち上げるように傾斜して配置される。
【００１４】
押さえ用コンベア部４は、固定枠２に設けられ始端及び終端に配置されるプーリ１０、１１と、これらプーリ１０、１１に掛け回された無端状の押さえ用コンベアベルト１２と、押さえ用コンベアベルト１２の幅方向中央を搬送物２４側に押し付けるための押さえローラ１３と、押さえ用コンベアベルト１２の幅方向両側を支持するための側部支持ローラ１４とを備える。
【００１５】
図２、図４及び図５に示すように、押さえローラ１３は、固定枠２に回動自在な支持アーム１５を介して設けられる。押さえローラ１３は、主固定ローラ８と略同じ長さに形成されている。また、押さえローラ１３は、搬送物２４が主固定ローラ８と押さえローラ１３との間で挟まれるようにコンベア走行方向の位置が主固定ローラ８の近傍となるように配置されている。支持アーム１５は、一端が固定枠２に回動自在に支持され、他端で押さえローラ１３を回転自在に支持するようになっている。具体的には、支持アーム１５は一対一組とされており、押さえローラ１３の両端を回転自在に支持する。また、支持アーム１５は、先端側がその回動中心軸ｃより押さえ用コンベアベルト１２の走行方向側に傾斜して配置されている。
【００１６】
また、支持アーム１５には、押し付け荷重を付与するための重錘１６が連結アーム１７を介して連結される。連結アーム１７は、支持アーム１５からその回動軸方向に延びる軸部１８と、軸部１８に設けられ径方向に延びるレバー部１９とを備える。軸部１８は、支持アーム１５の回動中心軸ｃと同軸上に配置されている。軸部１８は、押さえ用コンベアベルト１２の側端より外方に延びるように形成されており、レバー部１９が押さえ用コンベアベルト１２と干渉しないようになっている。
【００１７】
図３に示すように、レバー部１９は、支持アーム１５より長く形成されており、支持アーム１５とのレバー比でより強い押し付け力を押さえローラ１３に付与できるようになっている。また、レバー部１９の先端側には、重錘１６を複数着脱自在に取り付けるための重錘取付部２０が形成されている。重錘取付部２０は、長尺の板状に形成されており、ボルト（図示せず）を挿通させるためのボルト穴２１を複数有する。ボルト穴２１は、重錘取付部２０の長手方向に複数離間して形成されており、複数の重錘１６を任意の位置に任意の順番でボルト締めできるようになっている。
【００１８】
図６に示すように、固定枠２には、支持アーム１５の傾斜方向を規制するためのストッパ２２が設けられている。具体的には、ストッパ２２は、押さえ用コンベアベルト１２の幅方向に延びる棒状に形成されており、支持アーム１５が当接する外周面には、緩衝材２３が設けられている。
【００１９】
次に本実施の形態の作用を述べる。
【００２０】
急傾斜コンベア１が起動されると、搬送用コンベアベルト７上の搬送物２４は、搬送用コンベアベルト７と押さえ用コンベアベルト１２との間に挟まれ、これらコンベアベルト７、１２の走行方向に移送される。押さえ用コンベアベルト１２は、押さえローラ１３によって搬送用コンベアベルト７側に押し付けられているため、コンベアベルト７、１２間の搬送物２４が傾斜に沿って落下することはない。また、このとき、押さえローラ１３の押し付け力は、重錘１６の重さで確保されるため、従来のようにトーションバーの腐食や損傷で押し付け力が変わることはなく、押し付け力を安定して一定にできる。
【００２１】
また、押し付け力を調整する場合、重錘取付部２０に取り付ける重錘１６を追加・交換することで押し付け力を容易に調整できる。
【００２２】
このように、支持アーム１５に押し付け荷重を付与する重錘１６を連結するものとしたため、急傾斜コンベア１の構造を簡素にでき、コストダウンできる。また、従来は、トーションバーの腐食、損傷で押し付け力が低下したり、搬送物２４が多い場合と少ない場合とでトーションバーの捻れ量が変わって押し付け力が変わっていたが、本実施の形態にかかる急傾斜コンベア１は重力を利用して押さえ用コンベアベルト１２を押し付けるため、常に安定した押し付け力の確保ができる。またさらに、押さえローラ１３周りの保守・点検作業を簡易化できる。
【００２３】
また、重錘１６は、支持アーム１５に連結アーム１７を介して連結され、連結アーム１７は、支持アーム１５からその回動中心軸ｃ方向に延びる軸部１８と、軸部１８の先端側から径方向に延びると共に重錘１６が先端側に取り付けられるレバー部１９とを備えるものとしたため、簡易な構造で確実に押さえローラ１３に押し付け荷重を付与できる。
【００２４】
レバー部１９の先端側には、複数の重錘１６が着脱自在に取り付けられる重錘取付部２０が形成されるものとしたため、重錘１６の追加、削減、変更等が容易にでき、押し付け荷重の増減が容易にできる。
【００２５】
また、重錘取付部２０が、押さえ用コンベアベルト１２よりその幅方向外側に配置されるものとしたため、急傾斜コンベア１の側方から容易に重錘１６の着脱作業を行うことができる。
【００２６】
なお、本実施の形態では搬送用コンベアベルト７と押さえ用コンベアベルト１２が急傾斜に配置される急傾斜コンベア１について述べたが、搬送用コンベアベルト７と押さえ用コンベアベルト１２が垂直に配置される垂直コンベアであってもよい。
【符号の説明】
【００２７】
１  急傾斜コンベア
２  固定枠
７  搬送用コンベアベルト
１２  押さえ用コンベアベルト
１３  押さえローラ
１５  支持アーム
１６  重錘
１７  連結アーム
１８  軸部
１９  レバー部
２０  重錘取付部
【図１】
2015221697.tif 000003
【図２】
2015221697.tif 000004
【図３】
2015221697.tif 000005
【図４】
2015221697.tif 000006
【図５】
2015221697.tif 000007
【図６】
2015221697.tif 000008